(57)【要約】【課題】フィルター自動清掃機能を備えた空気調和機において、フィルターを清掃するブラシが容易に掃除できるようにする。【解決手段】上部ボックス１１ａと下部ボックス１１ｂとからなるダストボックス１１内に、平板状の基台１３と、同基台１３の下面に前後して複数取付けられた平板状のブラシ１５及び１６とからなる上部ブラシを設け、下部ボックス１１ｂに平板状の基台１８と、同基台１８の上面に前後して複数取付けられた平板状のブラシ１９とからなる下部ブラシを設け、前記ブラシ１５、１６及び１９を弾性を備えた軟質樹脂材から形成する。【選択図】図４
2005024135.tif 000002
【特許請求の範囲】
【請求項１】
吸込口と吹出口とを備えた本体内に、摺動自在に装着されるフィルターと、同フィルターに付着した塵埃を除去する清掃手段と、同清掃手段により除去された塵埃を貯留するダストボックスとを備えてなる空気調和機において、
前記清掃手段を、前記フィルターの両面に対向配置された基台と、同基台に取付けられた平板状のブラシとで構成してなることを特徴とする空気調和機。
【請求項２】
前記ブラシが弾性部材により形成されてなることを特徴とする請求項１に記載の空気調和機。
【請求項３】
前記ブラシに帯電防止剤を添加してなることを特徴とする請求項１又は請求項２に記載の空気調和機。
【請求項４】
前記ブラシの表面に帯電防止剤を塗着させてなることを特徴とする請求項１又は請求項２に記載の空気調和機。
【発明の詳細な説明】
【０００１】
【発明の属する技術分野】
本発明は、フィルター自動清掃機能を備えた空気調和機に関わり、より詳細には、ブラシの清掃性を向上させた構成に関する。
【０００２】
【従来の技術】
従来の空気調和機も基本的な構成は本願と同一であるので、図２を用いて説明する。図２で示す空気調和機は、ベース１と下部パネル２と上部パネル３とで本体を構成し、同本体の上面に吸込口４を設けるとともに、下面前部に風向偏向板５ａを備えた吹出口５を設けている。前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられている。
【０００３】
前記吸込口４の裏面には、吸込まれた空気に含有される塵埃を補集、吸着するフィルター１０が装着され、本体の内部前方には同フィルター１０に付着した塵埃を除去し、これを貯留するダストボックスが設けられている。ダストボックス４０は図５（Ａ）で示すように、上部ボックス４０ａと下部ボックス４０ｂとからなり、その接合部には、前記フィルター１０が通過するスリット状の通過口４０ｃが前後に形成されている。図５（Ｂ）はその分解斜視図であり、前記上部ボックス４０ａには前記フィルター１０の上面に付着した塵埃を除去するブラシ４１とブラシ４２とが前後して設けられ、前記下部ボックス４０ｂには下面に付着した塵埃を除去するブラシ４３が設けられている。
【０００４】
前記ブラシ４１、４２及び４３は表面に塵埃が付着するため、定期的に掃除する必要があるが、毛状のブラシは掃除がしずらく、又乾燥させるのに時間を要するという問題点があり、対応策が求められていた。
【０００５】
【発明が解決しようとする課題】
本発明は上記問題点に鑑み、フィルターを清掃するブラシの掃除が容易に行えるようにして取り扱い性を高めた空気調和機を提供することを目的とする。
【０００６】
【課題を解決するための手段】
本発明は上記課題を解決するため、吸込口と吹出口とを備えた本体内に、摺動自在に装着されるフィルターと、同フィルターに付着した塵埃を除去する清掃手段と、同清掃手段により除去された塵埃を貯留するダストボックスとを備えてなる空気調和機において、
前記清掃手段を、前記フィルターの両面に対向配置された基台と、同基台に取付けられた平板状のブラシとで構成してなる。
【０００７】
また、前記ブラシが弾性部材により形成されてなる構成となっている。
【０００８】
また、前記ブラシに帯電防止剤を添加してなる構成となっている。
【０００９】
また、前記ブラシの表面に帯電防止剤を塗着させてなる構成となっている。
【００１０】
【発明の実施の形態】
以下、本発明の実施の形態を、添付図面に基づいた実施例として詳細に説明する。
図１は本発明による空気調和機がフィルターを前面に引き出した状態を示す斜視図であり、図２はその断面図である。図３はフィルターを示す斜視図であり、図４はダクトボックスの断面図及びそれに設けられたブラシを示す斜視図である。
本発明による空気調和機は、図１及び図２で示すように、壁面に据付けられるベース１と、同ベース１の上方前部に装着され前端から後端近傍に至り吸込口４を形成した上部パネル３と、下方前部に装着され複数の風向偏向板５ａを備える吹出口５を形成した下部パネル２とで本体を構成している。
【００１１】
前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられ、又前記前部熱交換器６ａと前記後部熱交換器６ｂの下方には、これらから滴下する凝縮水を受ける露受皿８が設けられている。
【００１２】
前記吸込口４の裏面には、吸込まれた空気に含有される塵埃を吸着するフィルター１０が前後摺動自在に装着され、本体の内部前方には前記フィルター１０が通過する通過口を前後に備えたダストボックス１１が設けられている。また、その下部には前記フィルター１０を本体の前面側に引出すとともに、自動的に収納する駆動装置１２が設けられ、前記上部パネル３の前端と前記下部パネル２の前端との間には、前記フィルター１０が本体前面に挿脱自在となるようにスリット状の挿脱口９が形成されている。
【００１３】
前記フィルター１０は、図３の裏面側からの斜視図で示すように、中央に摺動方向に沿って桟を形成し、両側縁に前記本体内に形成されたガイドレールに案内されるレール１０ｄを形成した軟質樹脂材からなる薄肉状の枠体１０ａと、同枠体１０ａ内に一体となって樹脂成型された左右一対の網部１０ｂとからなっている。また、前記桟には、直線上に歯型を連続的に形成したラック１０ｃが形成されている。
【００１４】
前記ダストボックス１１の下部には、図４（Ａ）で示すように、方形状の筐体に覆われて駆動装置１２が設けられ、同駆動装置１２は前記筐体１２ａ内に固定され、回転軸にピニオン歯車２１ａを嵌着した駆動モータ２１と、前記ピニオン歯車２１ａに歯合する大径の第一歯車２２と、同第一歯車２２に歯合するとともに、前記フィルター１０に形成されたラック１０ｃと歯合する小径の第二歯車２３とから構成されている。
【００１５】
前記ダストボックス１１は上下に分割された上部ボックス１１ａと下部ボックス１１ｂとからなり、前記上部ボックス１１ａには、平板状の基台１３と、同基台１３の下面に前後して複数取付けられた平板状のブラシ１５及び１６とからなる上部ブラシが設けられ、前記下部ボックス１１ｂには平板状の基台１８と、同基台１８の上面に前後して複数取付けられた平板状のブラシ１９とからなる下部ブラシが設けられている。
【００１６】
前記上部ブラシの基台１３は、前記上部ボックス１１ａの内壁から垂下するリブ１４に軸１３ａを挿通させ、一端を回動自在に軸支されるとともに、同基台１３と、内壁面との間に介装されたスプリング１７により前記軸１３ａを中心として下方に付勢されるようになっている。又、前記下部ブラシは基台１８と前記下部ボックス１１ｂの内壁面との間に介装されたスプリング２０により上方に付勢されるようになっている。
【００１７】
図４（Ｂ）の斜視図で示す前記下部ブラシは、上述したように平板状の基台１８と、同基台１８の上面に前後して平行に埋め込まれた平板状のブラシ１９とからなり、同ブラシ１９は弾性及び柔軟性を備えた軟質樹脂材から形成されることにより前後に柔らかく揺動できるようになっている。同ブラシ１９は樹脂成型による成型時に帯電防止剤が添加されており、同帯電防止剤の効果により静電気の発生を極力防止できるようになっている。これは上部ブラシを構成するブラシ１５及びブラシ１６も同様である。
【００１８】
上記ブラシ１５、１６及び１９が平板状の軟質樹脂材から形成されることにより、本体から抜脱してその掃除を行う際、掃除作業が容易となっており取り扱い性が良くなっている。又、帯電防止剤の添加されていることにより静電気発生防止の効果も長期間維持できるようになっている。尚、帯電防止剤は添加させるばかりでなく前記ブラシ１５、１６及び１９の表面に塗着させてもよく、平板状に形成されていることにより塗着も容易に行えるようになっている。
【００１９】
次に、動作について説明する。前記フィルター１０の表面及び裏面に塵埃が堆積した際は、同フィルター１０を前方へ移動させ、前記ダストボックス１１によりその清掃を行う。前記駆動モータ２１が始動すると、前記ピニオン歯車２１ａに歯合する第一歯車２２及び第二歯車２３が回転駆動され、同第二歯車２０に歯合するラック１０ｃにより前記フィルター１０が前方に向かい移動する。同フィルター１０が移動すると、その表面に付着した塵埃は前記ブラシ１５及び１６の直線状の先端部によりかき採られ、裏面に付着した塵埃は前記清掃具１９にかき採られる一方、前記ダストボックス１１内に貯留させるようになっている。前記フィルター１０の清掃が完了すると前記駆動装置１２により再び本体内に収納されるようになっている。
【００２０】
【発明の効果】
以上説明したように、本発明によると、ダストボックス内に、弾性を備えた軟質樹脂材からなるブラシを設けることにより、同ブラシの掃除が容易となり取り扱い性を向上させた空気調和機とすることができる。
【図面の簡単な説明】
【図１】本発明による空気調和機の外観斜視図である。
【図２】本発明による空気調和機の断面図である。
【図３】フィルターの裏面側の斜視図である。
【図４】（Ａ）はダストボックスを示す断面図である。（Ｂ）は下部ブラシを示す斜視図である。
【図５】（Ａ）は従来のダストボックスの外観斜視図である。（Ｂ）はその分解斜視図である。
【符号の説明】
１  ベース
２  下部パネル
３  上部パネル
４  吸込口
５  吹出口
５ａ  風向偏向板
６  熱交換器
６ａ  前部熱交換器
６ｂ  後部熱交換器
７  送風ファン
８  露受皿
９  挿脱口
１０  フィルター
１０ａ  枠体
１０ｂ  網部
１０ｃ  ラック
１０ｄ  レール
１１  ダストボックス
１１ａ  上部ボックス
１１ｂ  下部ボックス
１２  駆動装置
１３  基台
１３ａ  軸
１４  リブ
１５、１６  ブラシ
１７  スプリング
１８  基台
１９  ブラシ
２０  スプリング
２１  駆動モータ
２１ａ  ピニオン歯車
２２  第一歯車
２３  第二歯車
【図１】
2005024135.tif 000003
【図２】
2005024135.tif 000004
【図３】
2005024135.tif 000005
【図４】
2005024135.tif 000006
【図５】
2005024135.tif 000007